【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
インデックス紙を載置可能な複数の給紙部を備えた画像形成装置であって、
各給紙部に載置される用紙に関する情報を記憶する記憶手段と、
前記記憶手段に記憶された前記情報に基づいて、複数の給紙部間で自動的に給紙部を切り替える処理を行う制御手段とを有し、
前記制御手段は、インデックス紙が複数の給紙部にそれぞれ載置されている場合、前記給紙部に載置されている夫々のインデックス紙に関する情報が一致する場合は、インデックス紙を載置する前記複数の給紙部間で切り替え処理を行い、前記インデックス紙に関する情報が一致しない場合は切り替え処理を行わないよう制御することを特徴とする画像形成装置。
【請求項２】
前記記憶手段が記憶する前記情報は、前記給紙部に載置される用紙のサイズ及び種別に関する情報であり、前記用紙の種別がインデックス紙であった場合はさらに、インデックス部の数とインデックス部の形状の少なくともいずれか一方に関する情報を記憶することを特徴とする請求項１に記載の画像形成装置。
【請求項３】
前記インデックス部の数と前記インデックス部の形状の少なくともいずれか一方に関する情報を設定するインデックス紙設定手段を有することを特徴とする請求項２に記載の画像形成装置。
【請求項４】
前記複数の給紙部ごとに、自動的に給紙部の切り替え処理の可否を設定する給紙部切替設定手段を有し、前記給紙部切替設定手段でインデックス紙が載置されたそれぞれの給紙部に対して、給紙部の切り替え処理を許可する設定がなされても、前記制御手段が前記複数の給紙部にそれぞれ載置したインデックス紙の前記インデックス紙に関する情報が一致しないと判断した場合は、切り替え処理を行わないよう制御することを特徴とする請求項１乃至３のいずれか１に記載の画像形成装置。
【請求項５】
インデックス紙を載置可能な複数の給紙部を備えた画像形成装置の制御方法であって、
各給紙部に載置される用紙に関する情報を記憶する記憶工程と、
前記記憶工程で記憶された前記情報に基づいて、複数の給紙部間で自動的に給紙部を切り替える処理を行う制御工程と、を有し、
前記制御工程は、インデックス紙が複数の給紙部にそれぞれ載置されている場合、前記給紙部に載置されている夫々のインデックス紙に関する情報が一致する場合は、インデックス紙を載置する前記複数の給紙部間で切り替え処理を行い、前記インデックス紙に関する情報が一致しない場合は切り替え処理を行わないよう制御することを特徴とする制御方法。
【請求項６】
前記記憶工程で記憶する前記情報は、前記給紙部に載置される用紙のサイズ及び種別に関する情報であり、前記用紙の種別がインデックス紙であった場合はさらに、インデックス部の数とインデックス部の形状の少なくともいずれか一方に関する情報を記憶することを特徴とする請求項５に記載の制御方法。
【請求項７】
前記インデックス部の数と前記インデックス部の形状の少なくともいずれか一方に関する情報を設定するインデックス紙設定工程を有することを特徴とする請求項６に記載の制御方法。
【請求項８】
前記複数の給紙部ごとに、自動的に給紙部の切り替え処理の可否を設定する給紙部切替設定工程を有し、前記給紙部切替設定工程でインデックス紙が載置されたそれぞれの給紙部に対して、給紙部の切り替え処理を許可する設定がなされても、前記制御工程が前記複数の給紙部にそれぞれ載置したインデックス紙の前記インデックス紙に関する情報が一致しないと判断した場合は、切り替え処理を行わないよう制御することを特徴とする請求項５乃至７のいずれか１に記載の制御方法。
【請求項９】
インデックス紙を載置可能な複数の給紙部を備えた画像形成装置の制御をコンピュータに実行させるための制御プログラムであって、
各給紙部に載置される用紙に関する情報を記憶する記憶工程と、
前記記憶工程で記憶された前記情報に基づいて、複数の給紙部間で自動的に給紙部を切り替える処理を行う制御工程と、を有し、
前記制御工程は、インデックス紙が複数の給紙部にそれぞれ載置されている場合、前記給紙部に載置されている夫々のインデックス紙に関する情報が一致する場合は、インデックス紙を載置する前記複数の給紙部間で切り替え処理を行い、前記インデックス紙に関する情報が一致しない場合は切り替え処理を行わないよう制御することを特徴とする制御プログラム。
【請求項１０】
前記記憶工程で記憶する前記情報は、前記給紙部に載置される用紙のサイズ及び種別に関する情報であり、前記用紙の種別がインデックス紙であった場合はさらに、インデックス部の数とインデックス部の形状の少なくともいずれか一方に関する情報を記憶することを特徴とする請求項９に記載の制御プログラム。
【請求項１１】
前記インデックス部の数と前記インデックス部の形状の少なくともいずれか一方に関する情報を設定するインデックス紙設定工程を有することを特徴とする請求項１０に記載の制御プログラム。
【請求項１２】
前記複数の給紙部ごとに、自動的に給紙部の切り替え処理の可否を設定する給紙部切替設定工程を有し、前記給紙部切替設定工程でインデックス紙が載置されたそれぞれの給紙部に対して、給紙部の切り替え処理を許可する設定がなされても、前記制御工程が前記複数の給紙部にそれぞれ載置したインデックス紙の前記インデックス紙に関する情報が一致しないと判断した場合は、切り替え処理を行わないよう制御することを特徴とする請求項９乃至１２のいずれか１に記載の制御プログラム。
【請求項１３】
請求項９乃至１２に記載のいずれかの制御プログラムを記憶したコンピュータ読み取り可能な記録媒体。
【請求項１４】
インデックス紙を載置可能な複数の給紙部を備えた画像形成装置の制御方法であって、
前記複数の給紙部の夫々に載置されたインデックス紙のインデックス部の数とインデックス部の形状の少なくともいずれか一方が一致しない場合は、給紙対象となっている給紙部から他方の給紙部に給紙先を自動的に切り替えないことを特徴とする制御方法。
【手続補正２】
【補正対象書類名】明細書
【補正対象項目名】００１３
【補正方法】変更
【補正の内容】
【００１３】
インデックス紙を載置可能な複数の給紙部を備えた画像形成装置であって、
各給紙部に載置される用紙に関する情報を記憶する記憶手段と、
前記記憶手段に記憶された前記情報に基づいて、複数の給紙部間で自動的に給紙部を切り替える処理を行う制御手段とを有し、
前記制御手段は、インデックス紙が複数の給紙部にそれぞれ載置されている場合、前記給紙部に載置されている夫々のインデックス紙に関する情報が一致する場合は、インデックス紙を載置する前記複数の給紙部間で切り替え処理を行い、前記インデックス紙に関する情報が一致しない場合は切り替え処理を行わないよう制御することを特徴とする。
【手続補正３】
【補正対象書類名】明細書
【補正対象項目名】００１４
【補正方法】変更
【補正の内容】
【００１４】
さらに好ましくは、前記記憶手段が記憶する前記情報は、前記給紙部に載置される用紙のサイズ及び種別に関する情報であり、前記用紙の種別がインデックス紙であった場合はさらに、インデックス部の数とインデックス部の形状の少なくともいずれか一方に関する情報を記憶することを特徴とする。
【手続補正４】
【補正対象書類名】明細書
【補正対象項目名】００１５
【補正方法】変更
【補正の内容】
【００１５】
さらに好ましくは、前記インデックス部の数と前記インデックス部の形状の少なくともいずれか一方に関する情報を設定するインデックス紙設定手段を有することを特徴とする。
【手続補正５】
【補正対象書類名】明細書
【補正対象項目名】００１６
【補正方法】変更
【補正の内容】
【００１６】
さらに好ましくは、前記複数の給紙部ごとに、自動的に給紙部の切り替え処理の可否を設定する給紙部切替設定手段を有し、前記給紙部切替設定手段でインデックス紙が載置されたそれぞれの給紙部に対して、給紙部の切り替え処理を許可する設定がなされても、前記制御手段が前記複数の給紙部にそれぞれ載置したインデックス紙の前記インデックス紙に関する情報が一致しないと判断した場合は、切り替え処理を行わないよう制御する。